(57)【特許請求の範囲】
【請求項１】
一以上のコンピュータ関連機器を収納した複数のラックを一列に並べて配置して構成されたラック列を複数、互いに平行に配置してなる複数のラック列と、
前記ラック列が配置される床面下方に設けられた床下空間に対して前記ラック列を構成する複数のラックが並べられる方向と略平行な方向に流れるように冷却用空気を供給する冷気供給口、前記床下空間から床面上に向かって前記冷却用空気を吹き出す床面吹き出し口、および、前記ラック列の上方の天井に設けられ前記ラック列周辺の熱を冷却することで前記冷却用空気が温められてなる温排気が吸い込まれる排気口を備える空調システムと、を有するデータセンターであって、
前記一以上のコンピュータ関連機器をネットワークに接続するための通信用ケーブルと、
前記ラック列を構成する複数のラックが並べられた方向と略垂直方向に前記通信用ケーブルを配線して天井から吊り下げて保持する通信用ケーブル保持具と、
前記ラック列の端部に配置され、前記通信用ケーブルを前記通信用ケーブル保持具から前記床下空間へ配線するダミーラックと、を有し、
前記通信用ケーブルは、前記ダミーラックから延びて当該ダミーラックが配置されているラック列の複数のラックに対して、これらラックが並べられた方向と略平行になるよう前記床下空間内に配置されていることを特徴とするデータセンター。
【請求項２】
前記ラック列の、前記ダミーラックとは反対の端部に配置された分電盤と、
前記分電盤に電力を供給する幹電源ケーブルと、
各分電盤から延びてその分電盤が配置されているラック列のコンピュータ関連機器へ電力を供給する複数の第１の枝電源ケーブル、及びそのラック列と隣り合うラック列のコンピュータ関連機器へ電力を供給する複数の第２の枝電源ケーブルと、
前記ラック列を構成する複数のラックが並べられた方向と略垂直方向に、前記枝電源ケーブルを配線して天井から吊り下げて保持する電源ケーブル保持具と、を有し、
前記電源ケーブル保持具が、隣り合うラック列間において前記第２の枝電源ケーブルを保持し、
前記第１の枝電源ケーブルと、前記電源ケーブル保持具を介して隣のラック列から伸びた第２の枝電源ケーブルが、ラックが並べられた方向と略平行になるように前記ラック列の上方に配置されている、請求項１記載のデータセンター。
【請求項３】
互いに向かい合う２列のラック列の間の床面は複数の矩形板をラック列と平行に延びるように並べてなる板列を少なくとも２列配置して構成され、
前記２列の板列は、前記冷気供給口となる複数の孔が形成された開孔板と全面板状の板とが交互に配置されて構成される請求項１または２に記載のデータセンター。
【請求項４】
各ラックは、その前面および背面が複数の孔を有するプレートで構成されている請求項１〜３のいずれかに記載のデータセンター。
【請求項５】
各ラックは、前記通信用ケーブルを上下方向に延伸させた状態で前記ラックフレームに沿って保持する留め具を有する請求項１〜４のいずれかに記載のデータセンター。
【発明の詳細な説明】
【技術分野】
【０００１】
本発明は、多くのサーバ等のコンピュータ関連機器が収容されているデータセンターに関し、特にコンピュータ機器を収容したコンピュータ室内の温度ムラの発生を抑制して、適切な温度管理を可能とするデータセンターに関する。
【背景技術】
【０００２】
従来、複数のサーバ等のコンピュータ関連機器を収容したラックを、空調システムを有するコンピュータ室に収容するデータセンターが知られている。コンピュータ室内では、複数のラックを一列に並べ形成したラック列を平行に並べ、ラック列間の通路のうち空調システムによって冷却用空気が供給されるコールドアイルと、コンピュータ関連機器から温められた空気が排出されるホットアイルとが形成されている。例えば、特許文献１には、コールドアイルの冷却用空気とホットアイルの暖められた空気とが混じり合わないようにして、空調効率を上げる発明が記載されている。
【０００３】
また、冷却用空気は、床下空間から床面に設けられた冷気供給口から床上空間に供給することが、例えば特許文献２に記載されている。
【先行技術文献】
【特許文献】
【０００４】
【特許文献１】特開２０１０−１２７６０６号公報
【特許文献２】特開２００９−２９３８３２号公報
【発明の概要】
【発明が解決しようとする課題】
【０００５】
ラック列を平行に配置し、コールドアイルＣとホットアイルＨを形成しても、適切な温度管理を行うことは容易ではない。例えば、床下空間から床上空間へ冷却用空気を供給する場合、床下空間内のケーブルなどの障害物によって冷却用空気がコンピュータ室内に均等に行き渡らないことがあり、このようなことが原因でコンピュータ室内に温度ムラが生じることがある。
【０００６】
そこで、本発明の目的は、コンピュータ室内の温度ムラの発生を抑制して、適切な温度管理を可能とするデータセンターを提供することである。
【課題を解決するための手段】
【０００７】
本発明の一つの実施態様に従うデータセンターは、一以上のコンピュータ関連機器を収納した複数のラックを一列に並べて配置して構成されたラック列を複数、互いに平行に配置してなる複数のラック列と、前記ラック列が配置される床面下方に設けられた床下空間に対して前記ラック列を構成する複数のラックが並べられる方向と略平行な方向に流れるように冷却用空気を供給する冷気供給口、前記床下空間から床面上に向かって前記冷却用空気を吹き出す床面吹き出し口、および、前記ラック列の上方の天井に設けられ前記ラック列周辺の熱を冷却することで前記冷却用空気が温められてなる温排気が吸い込まれる排気口を備える空調システムと、を有するデータセンターであって、前記一以上のコンピュータ関連機器をネットワークに接続するための通信用ケーブルと、前記ラック列を構成する複数のラックが並べられた方向と略垂直方向に前記通信用ケーブルを配線して天井から吊り下げて保持する通信用ケーブル保持具と、前記ラック列の端部に配置され、前記通信用ケーブルを前記通信用ケーブル保持具から前記床下空間へ配線するダミーラックと、を有し、前記通信用ケーブルは、前記ダミーラックから延びて当該ダミーラックが配置されているラック列の複数のラックに対して、これらラックが並べられた方向と略平行になるよう前記床下空間内に配置されていることを特徴とする。
【０００８】
好適な実施形態では、前記ラック列の、前記ダミーラックとは反対の端部に配置された分電盤と、前記分電盤に電力を供給する幹電源ケーブルと、各分電盤から延びてその分電盤が配置されているラック列のコンピュータ関連機器へ電力を供給する複数の第１の枝電源ケーブル、及びそのラック列と隣り合うラック列のコンピュータ関連機器へ電力を供給する複数の第２の枝電源ケーブルと、前記ラック列を構成する複数のラックが並べられた方向と略垂直方向に、前記枝電源ケーブルを配線して天井から吊り下げて保持する電源ケーブル保持具と、を有し、前記電源ケーブル保持具が、隣り合うラック列間において前記第２の枝電源ケーブルを保持し、前記第１の枝電源ケーブルと、前記電源ケーブル保持具を介して隣のラック列から伸びた第２の枝電源ケーブルが、ラックが並べられた方向と略平行になるように前記ラック列の上方に配置されているようにしていてもよい。
【０００９】
好適な実施形態では、互いに向かい合う２列のラック列の間の床面は複数の矩形板をラック列と平行に延びるように並べてなる板列を少なくとも２列配置して構成され、前記２列の板列は、前記冷気供給口となる複数の孔が形成された開孔板と全面板状の板とが交互に配置されて構成されていてもよい。
【００１０】
好適な実施形態では、各ラックは、その前面および背面が複数の孔を有するプレートで構成されていてもよい。
【００１１】
好適な実施形態では、各ラックは、前記通信用ケーブルを上下方向に延伸させた状態で前記ラックフレームに沿って保持する留め具を有していてもよい。
【図面の簡単な説明】
【００１２】
【図１】本発明の一実施形態に係るデータセンター１の全体構成図である。
【図２】コンピュータ室２の断面及びコンピュータ室２内の空気の流れを模式的に示す図である。
【図３】床下空間２２の構成図（平面図）である。
【図４】ラック列１０の構成を詳細に示す図である。
【図５】床面２０の構造を示す。
【図６】ラック１００の正面側斜視図である。
【図７】ラック１００の背面側斜視図である。
【発明を実施するための形態】
【００１３】
以下、本発明の一実施形態に係るデータセンターについて、図面を参照して説明する。
【００１４】
図１は、本実施形態に係るデータセンター１の全体構成図（平面図）である。データセンター１は、同図に示すように、多数のコンピュータ関連機器をまとめて収納するためのコンピュータ室２を有する。コンピュータ室２内には、複数のラック列１０，１０，・・・が互いに平行に配置されている。各ラック列１０は、共通の構成を有している。例えば、ラック列１０は、一以上のコンピュータ関連機器を収納した複数のラックを一列に並べて配置して構成されている。ここで、コンピュータ関連機器は、例えば、サーバ、ネットワーク機器及びストレージ装置などを含む。
【００１５】
図１の例では、互いに平行に並べた複数のラック列１０，１０，・・・により構成されるラック列群が２つあるが、ラック列群の数は任意である。ラック列群内で、各ラック列１０の間隔は等間隔でもよいし、各ラック列１０の長さは同じでもよい。なお、コンピュータ室２内にいくつのラック列１０を収容するかは任意である。
【００１６】
ラック列１０の一方の端部には分電盤２００、他方の端部にはダミーラック３００がそれぞれ配置されている。ラック列群内では、分電盤２００が配置されている側、及びダミーラック３００が配置されている側は統一されている。分電盤２００及びダミーラック３００は、いずれか一方のみが配置されていてもよい。
【００１７】
分電盤２００には、コンピュータ室２外に設けられた上位の分電盤５０から幹電源ケーブル１６によって電力が供給される。幹電源ケーブル１６は、例えば床下空間２２内に配線される（図３参照）。分電盤２００から、各ラック１００内のコンピュータ関連機器に対して枝電源ケーブル１７が配線される。
【００１８】
ここで、信頼性向上のため、電源は２系統（例えばＡ系統とＢ系統）が用意されている。そして、あるラック列Ａの分電盤２００には幹電源ケーブル１６によってＡ系統の電力が供給され、隣り合うラック列Ｂの分電盤２００には幹電源ケーブル１６によってＢ系統の電力が供給される。ラック列Ａ及びＢの分電盤２００は、それぞれラック列Ａ及びＢの双方のコンピュータ関連機器に対して枝電源ケーブル１７により電力を供給する。つまり、枝電源ケーブル１７には、各分電盤２００から延びてその分電盤２００が配置されているラック列１０のコンピュータ関連機器へ電力を供給する複数の第１の枝電源ケーブル１７Ａ、及びそのラック列１０と隣り合うラック列１０のコンピュータ関連機器へ電力を供給する複数の第２の枝電源ケーブル１７Ｂとがある。
【００１９】
コンピュータ室２の天井には、ケーブルを配線するためのラダー１２，１４が吊り下げられている。
【００２０】
ラダー１２は、隣り合うラック列１０間で枝電源ケーブル１７を配線するために用いられる。つまり、ラダー１２は、隣り合うラック列間において、分電盤２００間で配線される第２の枝電源ケーブル１７Ｂを保持する。ラダー１２は、ラック列１０を構成する複数のラック１００が並べられた方向と略垂直方向に配置されている部分を有し、ラック列１０の端部に設けられた分電盤２００の上方を通るように配置されている。
【００２１】
第１の枝電源ケーブル１７Ａと、ラダー１２を介して隣のラック列１０から伸びた第２の枝電源ケーブル１７Ｂが、ラック列１０内でラックが並べられた方向と略平行になるようにラック列１０の上方に配置されている。
【００２２】
ラダー１４は、ラック内のコンピュータ関連機器をネットワークに接続するための通信用ケーブル１８を保持する保持具である。ラダー１４は、ラック列１０を構成する複数のラック１００が並べられた方向と略垂直方向に配置されている部分を有し、各ダミーラック３００の近傍を通るように配置されている。通信用ケーブル１８は、コンピュータ室２外で図示しないネットワーク機器と接続されている。コンピュータ室２内に引き込まれた通信用ケーブル１８は、ラダー１４上を通って各ダミーラック３００まで配線される。
【００２３】
データセンター１は、さらに、コンピュータ室２の室温をコントロールするめの空調システムを備える。図２及び図３を用いてこの空調システムについて説明する。
【００２４】
図２は、コンピュータ室２の断面及びコンピュータ室２内の空気の流れ（矢印で示す）を模式的に示す図である。
【００２５】
平行に配置された各ラック列１０は、互いにその前面１０Ａ及び背面１０Ｂがそれぞれ向き合うように配置され、ラック列の間は通路となっている。各ラック列１０を構成するラックの内部に収容されているコンピュータ関連機器は、空冷を行うために前面１０Ａ側から吸気し、背面１０Ｂ側へ排気する。つまり、同図のように配置することで、互いに隣り合うラック列１０同士の吸気を行う面と排気を行う面とがそれぞれ向き合っている。このとき、吸気する前面１０Ａが向き合っている通路に所定の温度に冷却された冷却用空気を供給することで、各コンピュータ関連機器を効率的に冷却できる。排気する背面１０Ｂが向き合っている通路には、コンピュータ関連機器によって温められた空気が排出される。つまり、前面１０Ａが向かい合っている通路にコールドアイルＣが形成され、背面１０Ｂが向かい合っている通路にホットアイルＨが形成される。
【００２６】
また、図２に示すように、コンピュータ室２の床面２０の下方には床下空間２２が設けられている。
【００２７】
図３は、床下空間２２の構成図（平面図）である。同図に示すように、床下空間２２には、冷却用空気を供給する冷気供給口２４が設けられている。冷気供給口２４は、コンピュータ室２の壁面近辺に複数設けられている。冷気供給口２４は、例えば、平行に並べられたラック列１０の間の通路の位置に配置してもよく、さらには、コールドアイルＣの位置に配置してもよい。なお、同図では、コンピュータ室２の一つの壁面側にのみ冷気供給口２４が設けられているが、これと対向する壁面側にも冷気供給口２４を設けてもよい。
【００２８】
また、床下空間２２では、コンピュータ室２外に設けられた上位の分電盤５０から、各ラック列１０の分電盤２００へ幹電源ケーブル１６が配線されている。幹電源ケーブル１６は、例えば、ラック列１０内のラックが並ぶ方向と直行する方向に、分電盤２００の真下あたりを通って配線されている。
【００２９】
冷気供給口２４から吹き出される冷却用空気の吹き出し方向Ｗは、ラック列１０を構成するラック１００が並べられている方向である。すなわち、床下空間２２において、冷却用空気はコンピュータ室２の壁面から中心へ向けて、ラック列１０を構成するラック１００が並ぶ方向に流れる。
【００３０】
図２に戻ると、床面２０には、床下空間２２から床面２０の上方に向かって冷却用空気を吹き出す一以上の床面吹き出し口２６が設けられている。床面吹き出し口２６は、コールドアイルＣに設置され、ホットアイルＨには設置されない。また、コンピュータ室２の天井３０には一以上の排気口３２が設けられている。排気口３２は、特に、ホットアイルＨの上方に設置されるようにしてもよい。排気口３２は、コンピュータ室２外へ排気するための排気通路３４につながっている。
【００３１】
これにより、冷気供給口２４から供給された冷却用空気が床面吹き出し口２６からラック列１０の間（コールドアイルＣ）に流れ込む。ラック列１０を構成するラック内に収容されているコンピュータ関連機器が、コールドアイルＣ側の冷却用空気を吸気して、これによって冷却される。その一方で、コンピュータ関連機器によって温められた空気はホットアイルＨ側へ排気される。温められた空気は上方へ上り、天井３０に設けられた排気口３２から吸い出され、排気通路３４を通ってコンピュータ室２外へ排気される。
【００３２】
図４は、ラック列１０の構成を詳細に示す図である。
【００３３】
同図に示すように、ラック列１０は、複数のラック１００が横一列に並んで構成されている。同図では、一つのラック列１０を５つのラック１００で構成しているが、一ラック列あたりのラック数は任意である。
【００３４】
ラック列１０内では、すべてのラック１００がそれぞれの前面及び背面を同じ側へ向けている。ここで、ラック列１０を構成する各ラック１０のサイズは統一されているので、前面、背面及び上面の面がすべて揃っている。
【００３５】
また、ラック列１０の一方の端部に分電盤２００が、他方の端部にダミーラック３００が、それぞれ配置されている。つまり、一つのラック列１０に対して分電盤２００及びダミーラック３００がそれぞれ一つずつ割り当てられている。
【００３６】
分電盤２００の下方の床下空間２２０には、分電盤５０から伸びた幹電源ケーブル１６が配線されている。そして、電源ケーブル１６は、各分電盤２００に接続されている。
【００３７】
分電盤２００の上方にはラダー１２が配置されている。ラダー１２により、ラック列１０間の第２の枝電源ケーブル１７Ｂが配線される。分電盤２００から同じラック列１０内のコンピュータ関連機器へ電力を供給する第１の枝電源ケーブル１７Ａと、ラダー１２を介して隣のラック列から伸びた第２の枝電源ケーブル１７Ｂが、ラック１００が並べられた方向と略平行になるようにラック列１０の上方に配置されている。分電盤２００から伸びる枝電源ケーブル１７は多数ある。つまり、分電盤２００は、少数の幹電源ケーブル１６で電力の供給を受けて、多数の枝電源ケーブル１７で各ラック１０内及び隣り合うラック１０内のコンピュータ関連機器に電力を供給する。従って、分電盤２００をラック列１０の隣りに配置することにより、本数が多い枝電源ケーブル１７を長い距離引き回す必要がなく、効率的に配線を行うことができる。
【００３８】
ダミーラック３００は、内部が空洞で断面が矩形形状の筒体である。つまり、ダミーラック３００の上面及び下面は開放され、それぞれ、通信用ケーブルの入口３１０及び出口３２０が形成されている。ダミーラック３００の下面と接する床面２０には、通信用ケーブル導入口２１が設けられている。
【００３９】
ダミーラック３００の上方にはラダー１４が配置されている。ラダー１４により、コンピュータ室２外から引き込まれた通信用ケーブル１８がダミーラック３００の上面の通信用ケーブル入口３１０からその内部へ導かれる。通信用ケーブル１８は、ダミーラック３００の内部を通過し、下面の通信用ケーブル出口３２０及び床面２０の通信用ケーブル導入口２１を通って、床下空間２２へ配線される。通信用ケーブル１８は、ダミーラック３００から延びてダミーラック３００が配置されているラック列１０の複数のラック１００に対して、これらラック１００が並べられた方向と略平行になるよう床下空間２２内に配置されている。
【００４０】
ここで、図２及び図３を参照すると、同図においても、床下空間２２内で、通信用ケーブル１８が各ラック列１０においてラック１００が並べられた方向と略平行に配線されていることが示されている。つまり、通信用ケーブル１８が配線されている方向は冷気供給口２４から吹き出される冷却用空気の吹き出し方向Ｗと一致する。これにより、床下空間２２内の冷却用空気の流れが通信用ケーブル１８によって阻害されることを最小限に抑制できる。
【００４１】
各ラック１００に収容されるコンピュータ関連機器の消費電力（発熱量）の合計が、全ラック１００について略均等になるようにしてもよい。ラック１００ごとの消費電力にばらつきがあると、コンピュータ室２の温度ムラが生じやすい。コンピュータ室２は、所定の上限温度以下になるように温度管理がなされる必要がある。そのため、コンピュータ室２内に温度ムラがあると、相対的に高温のエリアを所定温度以下まで冷却する必要があるため、相対的に温度が低い一部のエリアは過冷却され、冷却効率が悪化する。つまり、ラック１００単位の消費電力をできるだけ均等に保つことにより、コンピュータ室２内の温度ムラを抑制し、コンピュータ室２を効率的に冷却することができる。
【００４２】
しかしながら、ラック１００単位の消費電力を完全に同じにすることは難しい。そこで、各ラック１００に収容されるコンピュータ関連機器の消費電力に応じて、ラック列１０内でのラック１００の配置を決めてもよい。例えば、相対的に消費電力の多いラック１００をラック列１０の中央近辺に配置し、相対的に消費電力の少ないラック１００をラック列１０の端に配置してもよい。ラック列１０端部において、ホットアイルＨの暖気がコールドアイルＣに流入したときの影響を最小限にするためである。
【００４３】
ラック列１０単位の消費電力も略均等になるようにしてもよい。すなわち、ラック列１０を構成するすべてのラック１００に収容されるコンピュータ関連機器の消費電力の合計が、各ラック列１０でほぼ等しくなるようにしてもよい。さらには、所定数のラック列１０を単位エリアとして、そのエリアでの消費電力が略均等になるようにしてもよい。すなわち、各単位エリア内のラック列１０の消費電力の合計がほぼ等しくなるように配置する。これらは、いずれも、コンピュータ室内の温度ムラを抑制する効果がある。
【００４４】
図５は、床面２０の構造を示す。
【００４５】
床面２０は、複数の矩形（例えば正方形）の床板２５（２５Ａ，２５Ｂ）が敷き詰められて構成されている。平行に配置されたラック列１０間の通路には、床板２５がラック列１０と平行に並べられている。ラック列１０間の通路に並べられた床板２５が形成する板列２７は少なくとも２列以上（同図では３列）ある。
【００４６】
床板２５には全面が板状で開口を有しない通常板２５Ａと、複数の孔が形成された開孔板２５Ｂとがある。この開孔板２５Ｂによって、上述した床面吹き出し口２６が形成される。つまり、開孔板２５Ｂを通って床下空間２２から床面の上に吹き出してくる。従って、開孔板２５ＢはコールドアイルＣにのみ設置され、ホットアイルＨには設置されない。
【００４７】
また、隣り合う２列の板列２７においては、通常板２５Ａと開孔板２５Ｂとが交互に配置されるようにしてもよい。すなわち、同図に示すように、ある板列２７で通常板２５Ａが設置されているとき、隣の板列２７の同じ行には開孔板２５Ｂが設置される。また、これとは逆に、ある板列２７の開孔板２５Ｂに対しては、隣の板列の同じ行には通常板２５Ａが設置される。その結果、同図に示すように、床面２０は、通常板２５Ａと開孔板２５Ｂとにより市松模様が形成される。
【００４８】
通常板２５Ａと開孔板２５Ｂの配置は市松模様以外にも、例えば、所定枚数の床板２５であるパターンを形成し、そのパターンをラック列１０においてラック１００が並ぶ方向（図中上下方向）に繰り返すようにしてもよい。例えば、３×３の９枚の床板２５で形成したパターンであって、一つの対角線方向に３枚の開孔板２５Ｂを配置したパターンを繰り返すようにしてもよい。
【００４９】
図６はラック１００の正面側斜視図であり、図７はラック１００の背面側斜視図である。以下、図６及び図７を参照して、ラック１００の構成について説明する。
【００５０】
ラック１００は、ラック本体１１０と、前面、背面、両サイド、上面及び下面のプレート１２０，１３０，１４０，１５０，１６０，１７０とを有する。ラック本体１１０は、その幅、奥行き及び高さが所定のサイズに統一されている。ラック本体１１０には、サーバ、ネットワーク機器などのコンピュータ関連機器のユニットが複数収容可能である。サーバを収容するラック１００とネットワーク機器を収容するラック１００とは、互いに分けてもよい。その際、サーバを収容するラック１００は、下面プレート１７０を装着しなくてもよい。
【００５１】
ラック本体１１０及び各プレート１２０，１３０，１４０，１５０，１６０，１７０は、例えば、いずれも金属製である。また、必ずしも照度が十分でないコンピュータ室２内での作業のし易さを考慮して、ラック本体１１０及び各プレート１２０，１３０，１４０，１５０，１６０，１７０の色は、白またはシルバーなどの明るい色としてもよい。
【００５２】
前面プレート１２０は、ラック本体１１０の前面全体をカバーするプレートである。前面プレート１２０は、正面から見て右側の端部でヒンジ１２１によりラック本体１１０に取り付けられている。つまり、前面プレート１２０は、右端を回転軸として開閉可能である。また、前面プレート１２０は、ラック本体１１０から完全に取り外し可能（着脱可能）である。前面プレート１２０は、複数の孔１２２を有する。プレート全体の面積に対する孔１２２の面積の比率（開口率）は、例えば７０％以上である。
【００５３】
背面プレート１３０は、ラック本体１１０の背面全体をカバーするプレートである。背面プレート１３０は、ラック本体１１０に対して着脱可能に取り付けられる。背面プレート１３０は、図７に示すように、前面プレート１２０同様にヒンジ１３１を介してラック本体１１０に取り付けてもよい。つまり、背面プレート１３０も、右端を回転軸として開閉可能としてもよい。背面プレート１３０は、前面プレート１２０同様に複数の孔１３２を有し、その開口率は例えば７０％以上である。前面プレート１２０と背面プレート１３０の開口率を同じにしてもよい。
【００５４】
図７に示すように、ラック１００の背面側では、枝電源ケーブル１７と通信用ケーブル１８とがラック１００内で配線されている。通信用ケーブル１８は、上下方向に延伸させた状態で留め具１１２により、ラック本体１１０に沿ってまとめて保持されている。通信用ケーブル１８は、特に本数が多いのでまとめて、ラック本体１１０に沿って配線しておくことで、ラック１００内に熱がこもりことを防止できるともに、背面からの作業がやりやすくなる。
【００５５】
左右の側面プレート１４０，１５０は、ラック本体１１０の各側面全体をカバーするプレートであり、各側面に着脱可能に取り付けられている。これにより、ラック側面からの空気の流出入を防止する。隣接するラックが存在する側の側面には、側面プレート１４０，１５０にブラシ付きのケーブル通過口が設けられていてもよい。これにより、ラック側面からの空気の流出入を防止しつつ、ケーブルの配線を行うことができる。
【００５６】
上面プレート１６０は、ラック本体１１０の上面全体をカバーするプレートである。上面プレート１６０は、ケーブル通過口１６１を有する。ラック１００上面からの空気の流出入を防止するとともに、塵やホコリの進入を防止する。上面プレート１６０の上には枝電源ケーブル１７が通っていて、枝電源ケーブル１７はケーブル通過口１６１からラック以内に収容される。
【００５７】
下面プレート１７０は、ネットワーク機器を収納するラックのときに使用する。例えば、ネットワーク機器には側面から吸気するタイプのものがあり、このタイプのネットワーク機器に対しては、下面プレート１７０の開閉により、ラック１００内への冷却用空気の供給を調整する。
【００５８】
上述した本発明の実施形態は、本発明の説明のための例示であり、本発明の範囲をそれらの実施形態にのみ限定する趣旨ではない。当業者は、本発明の要旨を逸脱することなしに、他の様々な態様で本発明を実施することができる。
【符号の説明】
【００５９】
１  データセンター
２  コンピュータ室
１０  ラック列
１２，１４  ラダー
１６  幹電源ケーブル
１７  枝電源ケーブル
１８  通信用ケーブル
２０  床面
２２  床下空間
２４  冷気供給口
２５  床板
２５Ａ  通常板
２５Ｂ  開孔板
１００  ラック
２００  分電盤
３００  ダミーラック
Ｃ  コールドアイル
Ｈ  ホットアイル
【図１】
0005396372.tif 000002
【図２】
0005396372.tif 000003
【図３】
0005396372.tif 000004
【図４】
0005396372.tif 000005
【図５】
0005396372.tif 000006
【図６】
0005396372.tif 000007
【図７】
0005396372.tif 000008